(57)【特許請求の範囲】
【請求項１】
躯体に固定可能な支持フレームの外側に沿って複数枚の化粧パネルを取付ける化粧パネルの取付け構造であって、
前記化粧パネルの背面に設けた取付け部を、前記支持フレームの外面よりも内方に入り込み配置した状態で前記支持フレームの被取付け部に取付けてあり、
前記化粧パネルの取付け部が、前記背面の上下に設けた上側取付け部及び下側取付け部から構成され、前記上側取付け部を前記支持フレームの被取付け部に固定する固定手段が設けられているとともに、前記下側取付け部には、これの下方側に隣接配置される他の化粧パネルの上側取付け部に対して上方から係合する係合手段が設けられ、前記下側取付け部が、前記他の化粧パネル及び前記支持フレームに固定されておらず、
前記係合手段には、前記化粧パネルの面内方向において、前記下側取付け部と前記他の化粧パネルの上側取付け部との係合状態での相対移動を一定範囲内で許容する融通が設けられている化粧パネルの取付け構造。
【請求項２】
前記上側取付け部、及び、前記下側取付け部は、前記化粧パネルの面内方向に沿う姿勢で備えられ、
前記上側取付け部では、前記化粧パネルの面内方向において、前記固定手段による固定箇所を前記係合手段による係合箇所よりも外側に配置している請求項１記載の化粧パネルの取付け構造。
【請求項３】
前記化粧パネルの面内方向において、前記上側取付け部の幅は前記下側取付け部の幅よりも大きく形成している請求項２記載の化粧パネルの取付け構造。
【発明の詳細な説明】
【技術分野】
【０００１】
本発明は、建築物の壁、ルーバー、柱等の表面を構成する石材やセラミックパネル、樹脂系パネル等の化粧パネルの取付け構造に関する。
【背景技術】
【０００２】
化粧パネルの取付け構造としては、例えば、特許文献１に示すように、壁面に沿って複数枚の化粧パネルを個別に取付ける取付け構造と、特許文献２に示すように、壁面に固定された支持フレームに沿って複数枚の化粧パネルを取付ける取付け構造とが提案されている。
【０００３】
前者の化粧パネルの取付け構造では、壁面に埋設されたナットに、化粧パネルの背面上部に設けられた上側取付け金具に対して水平方向から挿通された取付けボルトを螺合固定するとともに、化粧パネルの背面下部に設けられた下側取付け金具を、下方の隣接化粧パネルの上側取付け金具を取付けているボルトに上方から係合支持させてある。
【０００４】
また、後者の化粧パネルの取付け構造では、支持フレームに形成されたアリ溝に、化粧パネルの上側端面に形成されたスリット状の係合溝に上方から係合する第１係合片と、化粧パネルの下側端面に形成されたスリット状の係合溝に下方から係合する第２係合片とを備えた被取付け部が上下方向に摺動自在に落とし込み状態で装着されている。
【先行技術文献】
【特許文献】
【０００５】
【特許文献１】特開平６−１２９０７５号公報
【特許文献２】特開２００３−０７４１３７号公報
【発明の概要】
【発明が解決しようとする課題】
【０００６】
前者の化粧パネルの取付け構造では、壁面に螺合固定された取付けボルトの各々に隣接する両化粧パネルを取付けるため、壁面の不陸の影響を受け易く、その都度、各ボルトを螺合調節して複数の化粧パネルのパネル面の平面度を修正する必要がある。しかも、壁面と化粧パネルの背面との間には、上側取付け金具と下側取付け金具及びボルトを配置するための大きな取付け空間を確保する必要があり、壁面から化粧パネルが大きく張り出す不都合がある。
【０００７】
また、前者の化粧パネルの取付け構造では、化粧パネル側の取付け部がスリット状の係合溝から構成されているため、化粧パネルを支持フレームの外面側に近接配置することができるものの、地震や風圧等に起因する外力が係合溝に集中して化粧パネルの割れ等を招来し易い。しかも、隣接配置される化粧パネルの上下端面間に被取付け部の水平連結板部が位置するため、隣接配置される化粧パネルの上下端面間に大きな隙間が発生する。
この隙間発生を回避する場合には、化粧パネルの端面に被取付け部の水平連結板部が入り込む凹部を形成する必要があり、化粧パネルのコストが高騰化する不都合がある。
【０００８】
本発明は、上述の実状に鑑みて為されたものであって、その主たる課題は、化粧パネルの割れ発生の抑制とコストの低廉化とを図りながら、パネル取付けスペースのコンパクト化を達成することのできる化粧パネルの取付け構造を提供する点にある。
【課題を解決するための手段】
【０００９】
本発明による第１の特徴構成は、躯体に固定可能な支持フレームの外側に沿って複数枚の化粧パネルを取付ける化粧パネルの取付け構造であって、
前記化粧パネルの背面に設けた取付け部を、前記支持フレームの外面よりも内方に入り込み配置した状態で前記支持フレームの被取付け部に取付けてあり、
前記化粧パネルの取付け部が、前記背面の上下に設けた上側取付け部及び下側取付け部から構成され、前記上側取付け部を前記支持フレームの被取付け部に固定する固定手段が設けられているとともに、前記下側取付け部には、これの下方側に隣接配置される他の化粧パネルの上側取付け部に対して上方から係合する係合手段が設けられ、前記下側取付け部が、前記他の化粧パネル及び前記支持フレームに固定されておらず、
前記係合手段には、前記化粧パネルの面内方向において、前記下側取付け部と前記他の化粧パネルの上側取付け部との係合状態での相対移動を一定範囲内で許容する融通が設けられている点にある。
【００１０】
上記構成によれば、躯体に固定可能な支持フレームの外側に沿って複数枚の化粧パネルを取付けるので、躯体側の不陸の影響が少なくなり、しかも、化粧パネルの背面に設けた取付け部を支持フレームの被取付け部に取付けた状態では、化粧パネルの取付け部が支持フレームの外面よりも内方に入り込む配置状態にあり、この入り込んだ分だけ化粧パネルを支持フレームの外面側に近接配置することができる。
【００１１】
したがって、化粧パネルの背面に設けた取付け部の配置を上述の如く工夫するだけの合理的な改良により、化粧パネルの割れ発生の抑制とコストの低廉化とを図りながら、化粧パネルの取付けスペースの最小化を図ることができる。
【００１３】
上記構成によれば、化粧パネルの上部を固定手段で支持フレームに固定するための上側取付け部を、それの上方に配置される他の化粧パネルの下側取付け部の取付け部材として活用することができる。
しかも、化粧パネルを取付ける場合、先付けされている下方配置の化粧パネルの上側取付け部を利用して、取付け対象の化粧パネルの下側取付け部を上方から係合させたのち、取付け対象の化粧パネルの上側取付け部を支持フレームの被取付け部に固定操作するだけで済むから、施工性の向上と取付け構造の簡素化を図ることができる。
本発明による第２の特徴構成は、前記上側取付け部、及び、前記下側取付け部は、前記化粧パネルの面内方向に沿う姿勢で備えられ、
前記上側取付け部では、前記化粧パネルの面内方向において、前記固定手段による固定箇所を前記係合手段による係合箇所よりも外側に配置している点にある。
本発明による第３の特徴構成は、前記化粧パネルの面内方向において、前記上側取付け部の幅は前記下側取付け部の幅よりも大きく形成している点にある。
【００１４】
本発明は、前記化粧パネルが、一対の長辺側の化粧パネルと一対の短辺側の化粧パネルとを一組として、前記支持フレームの周りを覆い隠す状態で上下方向に取付けられる複数組から構成され、前記長辺側の化粧パネルと前記短辺側の化粧パネルとで囲まれた内部空間の長辺方向両側部には、前記支持フレームを構成する一対の縦フレーム部が配置されているとともに、前記長辺側の各化粧パネルの前記取付け部が、前記両縦フレーム部の対向面間に入り込み配置されていると好適である。
【００１５】
上記構成によれば、一対の長辺側の化粧パネルと一対の短辺側の化粧パネルとを一組とする複数組を、支持フレームが外部に露出しない状態で体裁良く取付けることができるばかりでなく、各化粧パネルを一対の縦フレーム部に頑丈に取付けることができる。
しかも、表面積の大きな長辺側の各化粧パネルの取付け部を、両縦フレーム部の対向面間に入り込ませてあるので、表面積の小さな短辺側の各化粧パネルの取付け部を入り込み配置する場合に比して、化粧パネルの取付けスペースの最小化を効率良く達成することができる。
【図面の簡単な説明】
【００１６】
【図１】第１実施形態を示す高層ビルの外装ルーバーの縦断側面図
【図２】外装ルーバーの取付け部の拡大縦断側面図
【図３】外装ルーバーの取付け部の拡大横断正面図
【図４】外装ルーバーの中間部の拡大縦断側面図
【図５】図４のＶ−Ｖ線断面図
【図６】外装ルーバーの中間部の拡大横断正面図
【図７】長辺側の化粧パネルの背面側の斜視図
【図８】短辺側の化粧パネルの背面側の斜視図
【図９】第２実施形態を示す横断面図
【発明を実施するための形態】
【００１７】
〔第１実施形態〕
図１〜図８は、躯体ＢＦに固定可能な支持フレーム１の外側に沿って複数枚の化粧パネルＰを取付ける化粧パネル取付け構造の一例で、高層ビルの外装ルーバーＬの構築に適用した実施形態を示す。
【００１８】
外装ルーバーＬの構築に使用される化粧パネルＰは、外装ルーバーＬの長辺方向に沿う横長矩形状の化粧パネルＰ１と、外装ルーバーＬの短辺方向に沿う縦長矩形状の化粧パネルＰ２との二種類から構成されている。
【００１９】
この実施形態では、図１、図２に示すように、躯体ＢＦのルーバー構築箇所におけるＨ形鋼製の上層階側及び下層階側の両取付け部Ｆに対する被取付け部１Ａａ，１Ａｂを備えた支持フレーム１の周囲に、上述の一対の長辺側の化粧パネルＰ１と一対の短辺側の化粧パネルＰ２とを一組とし、支持フレーム１を覆い隠す状態で上下方向に複数組（当該実施形態では６組）を取付けて外装ルーバーＬが構築されている。
【００２０】
支持フレーム１は、長辺側の化粧パネルＰ１と短辺側の化粧パネルＰ２とで囲まれた内部空間Ｓの長辺方向両側部に沿って配置される一対の溝形鋼製の縦フレーム部１Ａと、両縦フレーム部１Ａの長手方向複数個所（当該実施形態では３箇所）において水平姿勢で架設される等辺山形鋼製の横フレーム部１Ｂとからなる。
【００２１】
両縦フレーム部１Ａの上端部をもって構成される前記被取付け部１Ａａは、図２、図３に示すように、上層階側取付け部Ｆの下側フランジ２Ａにボルト止めされた一対の不等辺山形鋼製の上側取付けブラケット３Ａに、外装ルーバーＬの長辺方向に沿う水平な枢支ピン４Ａ周りで回転自在に枢支連結されている。
両縦フレーム部１Ａの下端部をもって構成される前記被取付け部１Ａｂは、図２、図３に示すように、下層階側取付け部Ｆの上側フランジ２Ｂにボルト止めされた一対の不等辺山形鋼製の下側取付けブラケット３Ｂに、外装ルーバーＬの長辺方向に沿う水平な枢支ピン４Ｂ周りで回転自在に枢支連結されている。
【００２２】
長辺側の化粧パネルＰ１及び短辺側の化粧パネルＰ２の各々は、花崗岩等の石材から構成され、石材の背面全域又は背面主要部には、ガラスクロス（直交積層ネット）等をエポキシ樹脂系等の接着剤で貼り付けて補強繊維層６が形成されている。
この補強繊維層６により石材の割れ等による落下飛散を抑制することができる。
【００２３】
長辺側の各化粧パネルＰ１の背面における上下の両側部位には、図７に示すように、取付け部としての上側取付け部７及び下側取付け部８が設けられ、この上側取付け部７及び下側取付け部８は、図３、図５に示すように、長辺側の各化粧パネルＰ１を支持フレーム１に取付けた状態において、両縦フレーム部１Ａの長辺方向での対向面間においてそれの長辺側外面１ａよりも短辺方向の内方に入り込み配置されている。
【００２４】
そのうち、長辺側の各化粧パネルＰ１の上側取付け部７は、図４に示すように、両縦フレーム部１Ａに設けられる複数種類の被取付け部Ａの一つで、両縦フレーム部１Ａの長辺方向で相対向する短辺側内面１ｂに設けられるＬ字状の第１支持金具１２に対して固定手段としての第１吊設手段１１で固定連結されている。
【００２５】
長辺側の各化粧パネルＰ１の下側取付け部８には、図３、図４、図６に示すように、これの下方側に隣接配置される他の長辺側の化粧パネルＰ１の上側取付け部７、及び、両縦フレーム部１Ａのパネル最下端取付け位置に設けられる前記被取付け部Ａの他の一つで、両縦フレーム部１Ａの長辺方向で相対向する短辺側内面１ｂに設けられるＬ字状の第２支持金具１３に対して択一的に上方から係合可能な第１係合手段１５が設けられている。
【００２６】
また、短辺側の各化粧パネルＰ２の背面における上下の両側部位には、図８に示すように、取付け部としての上側取付け部９及び下側取付け部１０が設けられ、この上側取付け部９及び下側取付け部１０は、図４、図５に示すように、両縦フレーム部１Ａの長辺方向両側部の外面側に配置されている。
【００２７】
各外装ルーバーＬの最上段に配設される短辺側の化粧パネルＰ２を除く他の短辺側の化粧パネルＰ２の上側取付け部９は、図４、図８に示すように、短辺側の化粧パネルＰ２の上端部から両縦フレーム部１Ａの長辺方向両外側の短辺側外面１ｃに向かって屈曲したのち上方に屈曲する側面視略クランク形状に構成されている。
【００２８】
各外装ルーバーＬの最上段に配設される短辺側の化粧パネルＰ２の上側取付け部９は、図２に示すように、短辺側の化粧パネルＰ２の上端部から両縦フレーム部１Ａの長辺方向両外側の短辺側外面１ｃに向かって屈曲するＬ字形状に構成されている。
【００２９】
クランク形状の上側取付け部９の突出垂直板部９Ｂは、図４、図８に示すように、縦フレーム部１Ａの短辺側外面１ｃに対して固定手段としての第２吊設手段１７で固定連結されている。
【００３０】
また、Ｌ字形状の上側取付け部９の水平板部９Ｃは、図２に示すように、両縦フレーム部１Ａに設けられる複数種類の被取付け部Ａの一つで、縦フレーム部１Ａの短辺側外面１ｃに設けられるＬ字状の第４支持金具１８に対して固定手段としての第２吊設手段１７で固定連結されている。
【００３１】
短辺側の各化粧パネルＰ２の下側取付け部１０には、図２、図４に示すように、これの下方側に隣接配置される他の短辺側の化粧パネルＰ２の上側取付け部９、及び、両縦フレーム部１Ａのパネル最下端取付け位置に設けられる前記被取付け部Ａの他の一つで、両縦フレーム部１Ａの長辺方向両外側の短辺側外面１ｃに設けられるＬ字状の第３支持金具１４に対して択一的に上方から係合可能な第２係合手段１６が設けられている。
【００３２】
次に、長辺側の化粧パネルＰ１の取付け構造について詳述する。
長辺側の化粧パネルＰ１の上側取付け部７は、図６、図７に示すように、パネル背面の上側取付け部位に対して長辺方向に沿う姿勢でエポキシ樹脂系等の接着剤で接着固定される垂直取付け板部７Ａと、両縦フレーム部１Ａの第１支持金具１２に対して吊り状態で第１吊設手段１１にて固定連結される水平取付け板部７Ｂとが備えられている。
【００３３】
この上側取付け部７の垂直取付け板部７Ａは、パネル背面の上側取付け部位に突設されたアンカーボルト１９とナット２０との螺合操作により、当該垂直取付け板部７Ａの外側面にステンレス鋼製の上側当て板２１を当て付けた状態で長辺側の化粧パネルＰ１に強固に締め付け固定されている。
つまり、上側取付け部７は接着剤で石材の背面に固着され、さらに、アンカーボルト１９とナット２０とによって石材の背面と上側当て板２１との間で強固に挾持固定されている。
【００３４】
また、長辺側の化粧パネルＰ１の下側取付け部８には、図２〜図４、図７に示すように、パネル背面の下側取付け部位に対して長辺方向に沿う姿勢でエポキシ樹脂系等の接着剤で接着固定される垂直取付け板部８Ａと、下方側に隣接配置される他の長辺側の化粧パネルＰ１の上側取付け部７又は両縦フレーム部１Ａの第２支持金具１３に対して上方から択一的に係合保持される水平取付け板部８Ｂ、及び、長辺側の化粧パネルＰ１の下端面に当接する載置支持板部８Ｃとが備えられている。
そのうち、垂直取付け板部８Ａと水平取付け板部８ＢとはＬ字状に一体形成され、載置支持板部８Ｃは別体に形成して水平取付け板部８Ｂに固定連結されている。
【００３５】
この下側取付け部８の垂直取付け板部８Ａは、長辺側の化粧パネルＰ１の背面の下側取付け部位に突設されたアンカーボルト１９とナット２０との螺合操作により、当該垂直取付け板部８Ａの外側面にステンレス鋼製の下側当て板２２を当て付けた状態で長辺側の化粧パネルＰ１に強固に締め付け固定されている。
つまり、下側取付け部８も上述の上側取付け部７と同様に、接着剤で石材の背面に固着され、かつ、アンカーボルト１９とナット２０とによって石材の背面と下側当て板２２との間で強固に挾持固定されている。
【００３６】
上述のように、長辺側の化粧パネルＰ１を構成する石材の背面の上側取付け部位及び下側取付け部位に、上側取付け部７及び下側取付け部８を長辺方向に沿って平行又は略平行姿勢で接着固定することにより、石材の曲げ剛性を高めることができる。
【００３７】
アンカーボルト１９は、図４に示すように、石材の背面に傾斜姿勢で穿設されたダボ穴２５内に挿入される埋設ボルト部１９ａと、石材の背面から垂直方向に突出する突出ボルト部１９ｂとを略「へ」の字状に折り曲げて一体形成してあり、石材のダボ穴２５内においてアンカーボルト１９の埋設ボルト部１９ａと石材とがエポキシ樹脂系等の接着剤で接着固定されている。
【００３８】
そして、長辺側の化粧パネルＰ１の上側取付け部７及び下側取付け部８は、図３、図５に示すように、支持フレーム１の両縦フレーム部１Ａにおける長辺方向での対向面間に短辺方向から入り込み自在な長さ、つまり、両縦フレーム部１Ａの長辺方向での対向内寸法よりも小なる長さに形成され、長辺側の両化粧パネルＰ１を両縦フレーム部１Ａに取付けた状態では、図５に示すように、上側取付け部７及び下側取付け部８の半分以上の部位が両縦フレーム部１Ａの長辺側外面１ａよりも短辺方向の内方に入り込み配置される。
【００３９】
この入り込み配置状態では、長辺側の両化粧パネルＰ１の上側取付け部７及び下側取付け部８のうち、短辺方向で相対向する両上側取付け部７の水平取付け板部７Ｂの先端間及び両下側取付け部８の水平取付け板部８Ｂの先端間の各々に適宜幅の空隙が形成されている。
【００４０】
このように表面積の大きな長辺側の各化粧パネルＰ１の上側取付け部７及び下側取付け部８を、両縦フレーム部１Ａの対向面間において両縦フレーム部１Ａの長辺側外面１ａよりも短辺方向の内方に入り込ませてあるので、表面積の小さな短辺側の各化粧パネルＰ２の上側取付け部９及び下側取付け部１０を入り込み配置する場合に比して、外装ルーバーＬにおける化粧パネルＰの取付けスペースの最小化を効率良く達成することができる。
【００４１】
第１支持金具１２の鉛直板部１２Ａは、図４〜図６に示すように、両縦フレーム部１Ａの長辺方向で相対向する短辺側内面１ｂに対して上下の二箇所でボルト２６・ナット２７にて締め付け固定され、この固定された第１支持金具１２の水平板部１２Ｂに対して、上側取付け部７の水平取付け板部７Ｂが第１吊設手段１１を構成するボルト１１Ａ・ナット１１Ｂにて吊り状態で締付け固定されている。
そのため、長辺側の各化粧パネルＰ１の荷重を上側取付け部７で受け止め、第１支持金具１２を介して両縦フレーム部１Ａに鉛直荷重として伝達する。
【００４２】
第２支持金具１３の鉛直板部１３Ａは、図２、図３、図７に示すように、両縦フレーム部１Ａの長辺方向で相対向する短辺側内面１ｂに対して上下の二箇所でボルト２６・ナット２７にて締め付け固定され、この固定された第２支持金具１３の水平板部１３Ｂに形成された左右の係合孔１５Ｂ又は上側取付け部７の水平取付け板部７Ｂに形成された左右の係合孔１５Ａに対して、これの直上方に配置される他の長辺側の化粧パネルＰ１の下側取付け部８の水平取付け板部８Ｂに設けられている左右の係合ピン１５Ｃが上方から係合連結される。
【００４３】
この第２支持金具１３の両係合孔１５Ｂと上側取付け部７の両係合孔１５Ａ及び下側取付け部８の両係合ピン１５Ｃとをもって前記第１係合手段１５が構成されているとともに、この第１係合手段１５には、下側取付け部８と、これの下方側に隣接配置される他の長辺側の化粧パネルＰ１の上側取付け部７又は両縦フレーム部１Ａのパネル最下端取付け位置に設けられる第２支持金具１３との相対移動を一定範囲内で許容する融通３０が設けられている。
【００４４】
この融通３０は、上側取付け部７の両係合孔１５Ａ及び第２支持金具１３の両係合孔１５Ｂを長辺方向に沿う長孔に形成することにより、地震等による面内層間変位を吸収することができるように構成されている。
【００４５】
次に、短辺側の化粧パネルＰ２の取付け構造について詳述する。
短辺側の化粧パネルＰ２の上側取付け部９の垂直取付け板部９Ａは、図４、図５、図８に示すように、パネル背面の上側取付け部位に対してエポキシ樹脂系等の接着剤で接着固定されているとともに、パネル背面の上側取付け部位に突設されたアンカーボルト１９とナット２０との螺合操作により、当該垂直取付け板部９Ａの外側面にステンレス鋼製の上側当て板３１を当て付けた状態で短辺側の化粧パネルＰ２に強固に締め付け固定されている。
つまり、上側取付け部９は接着剤で石材の背面に固着され、さらに、アンカーボルト１９とナット２０とによって石材の背面と上側当て板３１との間で強固に挾持固定されている。
【００４６】
また、短辺側の化粧パネルＰ２の下側取付け部１０には、図２、図４、図８に示すように、パネル背面の下側取付け部位に対して長辺方向に沿う姿勢でエポキシ樹脂系等の接着剤で接着固定される垂直取付け板部１０Ａと、下方側に隣接配置される他の短辺側の化粧パネルＰ２の上側取付け部９又は両縦フレーム部１Ａの第３支持金具１４に対して上方から択一的に係合保持される水平取付け板部１０Ｂ、及び、短辺側の化粧パネルＰ２の下端面に当接する載置支持板部１０Ｃとが備えられている。
そのうち、垂直取付け板部１０Ａと水平取付け板部１０ＢとはＬ字状に一体形成され、載置支持板部１０Ｃは別体に形成して水平取付け板部１０Ｂに固定連結されている。
【００４７】
この短辺側の化粧パネルＰ２の下側取付け部１０の垂直取付け板部１０Ａは、短辺側の化粧パネルＰ２の背面の下側取付け部位に突設されたアンカーボルト１９とナット２０との螺合操作により、当該垂直取付け板部１０Ａの外側面にステンレス鋼製の下側当て板３２を当て付けた状態で短辺側の化粧パネルＰ２に強固に締め付け固定されている。
つまり、下側取付け部１０も上述の上側取付け部９と同様に、接着剤で石材の背面に固着され、かつ、アンカーボルト１９とナット２０とによって石材の背面と下側当て板３２との間で強固に挾持固定されている。
【００４８】
上述のように、短辺側の化粧パネルＰ２を構成する石材の背面の上側取付け部位及び下側取付け部位に、上側取付け部９及び下側取付け部１０を長辺方向に沿って平行又は略平行姿勢で接着固定することにより、石材の曲げ剛性を高めることができる。
【００４９】
短辺側の化粧パネルＰ２におけるクランク形状の上側取付け部９の突出垂直板部９Ｂを縦フレーム部１Ａに固定連結する第２吊設手段１７は、図４に示すように、この突出垂直板部９Ｂの上下の二箇所を縦フレーム部１Ａの短辺側外面１ｃに締付け固定するボルト１７Ａ・ナット１７Ｂから構成されている。
【００５０】
また、短辺側の化粧パネルＰ２におけるＬ字形状の上側取付け部９の水平板部９Ｃを両縦フレーム部１Ａの第４支持金具１８に固定連結する第２吊設手段１７は、図２に示すように、この水平板部９Ｃを第４支持金具１８に締付け固定するボルト１７Ａ・ナット１７Ｂから構成されている。
【００５１】
第３支持金具１４の鉛直板部１４Ａは、図２に示すように、各縦フレーム部１Ａの短辺側外面１ｃに対して上下の二箇所でボルト２６・ナット２７にて締め付け固定され、この固定された第３支持金具１４の水平板部１４Ｂに形成された係合孔（図示せず）又は上側取付け部９の水平取付け板部９Ｃに形成された係合孔１６Ａ（図８参照）に対して、これの直上方に配置される他の短辺側の化粧パネルＰ２の下側取付け部１０の水平取付け板部１０Ｂに設けられている係合ピン１６Ｃ（図８参照）が上方から係合連結される。
【００５２】
この第３支持金具１４の両係合孔と上側取付け部９の係合孔１６Ａ及び下側取付け部１０の係合ピン１６Ｃとをもって前記第２係合手段１６が構成されている。
【００５３】
〔第２実施形態〕
図９は、躯体ＢＦの壁面Ｗに沿って複数枚の化粧パネルＰを取付ける化粧パネル取付け構造を示す。この実施形態では、壁面Ｗに、化粧パネルＰの取付け間隔で上下方向に沿う複数の支持フレーム１が固定され、支持フレーム１の相対向面のパネル取付け部位には、化粧パネルＰの背面に設けた取付け部３５をボルト等の固定手段３６で固定連結するための被取付け部Ａが設けられている。
【００５４】
そして、各化粧パネルＰの取付け部３５は、支持フレーム１の対向間に入り込み自在な長さ、つまり、両支持フレーム１の対向内寸法よりも小なる長さに形成され、化粧パネルＰを支持フレーム１に取付けた状態では、取付け部３５の大部分が両支持フレーム１の外面１ａよりも短辺方向の内方に入り込み配置される。
【００５５】
上述のように、躯体ＢＦの壁面Ｗに固定された支持フレーム１の外側に沿って複数枚の化粧パネルＰを取付けるので、躯体ＢＦ側の不陸の影響が少なくなり、しかも、化粧パネルＰの背面に設けた取付け部３５を支持フレーム１の被取付け部Ａに取付けた状態では、化粧パネルＰの取付け部３５が支持フレーム１の外面１ａよりも内方に入り込む配置状態にあり、この入り込んだ分だけ化粧パネルＰを壁面Ｗ側に近接配置することができる。
【００５６】
尚、その他の構成は、第１実施形態で説明した構成と同一であるから、同一の構成箇所には、第１実施形態と同一の番号を付記してそれの説明は省略する。
【００５７】
〔その他の実施形態〕
（１）上述の第１実施形態では、長辺側の各化粧パネルＰ１の背面に設けられる取付け部を、各化粧パネルＰ１の背面における上下の両側部位に配設した上側取付け部７と下側取付け部８とから構成したが、一つ又は三つ以上の取付け部から構成してもよい。
また、短辺側の各化粧パネルＰ２の背面に設けられる取付け部においても、上述の第１実施形態では上側取付け部９と下側取付け部１０とから構成したが、一つ又は三つ以上の取付け部から構成してもよい。
【００５８】
（２）上述の第１実施形態では、長辺側の各化粧パネルＰ１を取付ける場合、先付けされている下方配置の長辺側の各化粧パネルＰ１の上側取付け部７に対して、取付け対象の長辺側の各化粧パネルＰ１の下側取付け部８を第１係合手段１５で上方から係合させたのち、取付け対象の長辺側の各化粧パネルＰ１の上側取付け部７を、両縦フレーム部１Ａの長辺方向で相対向する短辺側内面１ｂに設けられる第１支持金具１２に対して第１吊設手段１１で固定連結したが、取付け対象の長辺側の各化粧パネルＰ１の上側取付け部７及び下側取付け部８の各々を、ボルト・ナット等の固定手段で両縦フレーム部１Ａの被取付け部に取付けてもよい。
この場合、被取付け部は両縦フレーム部１Ａの一部をもって構成されていてもよい。
【００５９】
（３）上述の第１実施形態では、化粧パネルＰとして石材を用いたが、セラミックパネル、合成樹脂パネル、ガラス質パネル等を用いることができる。
【００６０】
（４）上述の第１実施形態では、ルーバーＬを化粧パネルＰで構築する場合のパネル取付け構造について説明し、第２実施形態では、壁面を化粧パネルＰで構築する場合のパネル取付け構造について説明したが、この実施形態に特定されるものではなく、柱等の他の構造物を化粧パネルＰで構築する場合のパネル取付け構造としても有効に適用することができる。
【符号の説明】
【００６１】
１  ：支持フレーム
１Ａ：縦フレーム部
１ａ：外面
７  ：取付け部（上側取付け部）
８  ：取付け部（下側取付け部）
１１：固定手段（第１吊設手段）
１５：係合手段（第１係合手段）
１６：係合手段（第２係合手段）
１７：固定手段（第２吊設手段）
３５：取付け部
３６：固定手段
Ａ  ：被取付け部
ＢＦ：躯体
Ｐ  ：化粧パネル
Ｐ１：長辺側の化粧パネル
Ｐ２：短辺側の化粧パネル
Ｓ  ：内部空間
【図１】
0006501338.tif 000002
【図２】
0006501338.tif 000003
【図３】
0006501338.tif 000004
【図４】
0006501338.tif 000005
【図５】
0006501338.tif 000006
【図６】
0006501338.tif 000007
【図７】
0006501338.tif 000008
【図８】
0006501338.tif 000009
【図９】
0006501338.tif 000010